(57)【要約】      （修正有）【課題】擁壁面の早期緑化と長期緑化が図れる緑化工法を提供する。【解決手段】擁壁面の高さに合せ一定間隔で水や植物根が流通・伸長可能な溝付支柱を擁壁面に設置し、各溝付支柱の間隔内を腐食しにくい材質で形成された２〜５センチ厚の植栽マット体で覆い、さらに前記植栽マット体と溝付支柱の上を２〜３センチ厚の植栽マット体で覆い溝付支柱に固着し、擁壁面に植栽マット体二層による植栽基盤土層を形成し、この基盤土層に密着するように受水盤、貯水槽、連通孔部が設けられた植栽容器を一定間隔で植栽マット体越しに溝付支柱に固着し、当該植栽容器内に蔦１８、宿根草１７、低木等を植栽して早期緑化と長期緑化を図る。【選択図】図７
2017025652.tif 000002
【特許請求の範囲】
【請求項１】
擁壁面に一定間隔で溝付支柱を設置し、この溝付支柱間に植栽マット体を敷設固定し、前記溝付支柱と植栽マット体の上をさらに植栽マット体で覆い固着し、擁壁面に植栽マット体二層による植栽基盤土層を形成し、これに受水盤、貯水槽、連通孔部が設けられた植栽容器を一定間隔で前記基盤土層に固着し、植栽容器内用土と擁壁面の植栽基盤土が一体化的に構成されたことを特徴とする擁壁面の緑化工法。
【請求項２】
溝付支柱は、合成樹脂、プラスチック、金属製の何れかの材質からなり、底部には一定間隔で傾斜型流通溝が設けられたことを特徴とする請求工１記載の擁壁面の緑化工法。
【請求項３】
植栽容器内から植栽基盤土層に水・植物根を通す複数の目合を有する連通孔部を設けたことを特徴とする請求工１記載の擁壁面の緑化工法。
【請求項４】
植栽容器前面上部に雨水を取入れる受水盤を設置したことを特徴とする請求工１記載の擁壁面の緑化工法。
【発明の詳細な説明】
【技術分野】
【０００１】
本発明は、コンクリート擁壁面に蔦や宿根草、低木等からなる植栽による擁壁面の緑化工法に関するものである。
【背景技術】
【０００２】
一般に擁壁は、コンクリートで被覆形成されている。このようなコンクリートで被覆形成された擁壁は、周囲の環境と調和せず、景観上好ましいものとは言えない。さらに、このようなセメントを使用した擁壁面は、直射日光により高温となり周囲の気温を上昇させ、特に市街地においては、ヒートアイランド現象の一因となっている。
【０００３】
そこで、これを解消するためにコンクリート擁壁下部の地面から植付けた蔦を外壁面や若干の間隔を置いて張設したネットに這わせて外壁面を緑化するといった方法が従来から取られているが擁壁下部の地面から植付けた蔦が外壁面を緑化するには、複数年の年月がかかるとともに部分的にしか緑化が進まないという問題点があった。
【０００４】
そこで、上記の問題点を解消する方法として擁壁面の前面に培養土収容用の植栽ポケットを設けるとともに、前記擁壁面に植栽固定部材を固着し、前記植栽ポケットに樹木を植栽し、前記樹木の大枝を前記擁壁面に沿わせ、平面的に広げた状態に曲げて、前記固定部材に固定して擁壁面を緑化する特許文献１やコンクリート等の擁壁面に、山砂と保水剤と腐葉土とセメント系接着剤とからなる下層基盤を重ね、前記下層基盤表面に保水剤と腐葉土とセメント系接着剤とからなる上層基盤を重ね、前記上層基盤に植物を植栽または播種して外壁面の緑化を図る特許文献２の工法等が開示されている。
【０００５】
しかし、特許文献１の工法には、植栽された樹木の幹や枝の部分を壁面に沿わせ、広げた状態で固定部材に針金等の結束材で結束固定されるため、植栽木の生長に伴い結束部分が首絞め状態となり風雪時の風圧や雪の重みで結束部分から折れやすい問題点や植栽木が枯れた場合に植え替えに手間が係る問題点がある。
【０００６】
また、特許文献２の工法は、外壁面へ網を張らず大型機械を用いて直接壁面に１０ｃｍ厚の基盤材を吹付、さらにその上に３〜５ｃｍ厚の基盤材を吹付植生基盤土層を形成し、緑化を図る方法なので、施工費が嵩むほかに外壁面の勾配が急な所では、植生基盤土が流失・滑落してしまう恐れが高く急勾配な外壁面での施工には問題点がある。
【先行技術文献】
【特許文献】
【０００７】
【特許文献１】特開平９    −４１４０５号広報
【特許文献２】特開２００４−３６０９５号広報
【発明の概要】
【発明が解決しようとする課題】
【０００８】
急勾配なコンクリート等の擁壁面でも蔦や宿根草、低木等の植栽で早期緑化と長期緑化を可能とし、景観向上が図れる擁壁面の緑化工法の提供。
【課題を解決するための手段】
【０００９】
擁壁面の高さに合せ一定間隔で水や植物根が伸長可能な溝付支柱を設置し、各溝付支柱の間隔内を２〜５センチ厚の植栽マット体で覆い、さらに前記植栽マット体と溝付支柱の上を２〜３センチ厚の植栽マット体で覆い固着し、擁壁面に植栽マット体二層による植栽基盤土層を形成し、この植栽基盤土層に密着するように植栽容器を一定間隔で植栽マット体越しに溝付支柱に固着し、当該植栽容器内に蔦、宿根草、低木等を植栽し擁壁面の早期緑化を図る。
【００１０】
なお、基盤土層越しから溝付支柱に固着される植栽容器は、上部に雨水を受け入れる受水盤、底部には貯水室、後面部には植栽基盤土層に余剰水を給水し、植物根が伸長可能な複数の目合が形成されている植栽容器が固定され、植栽容器内の用土と擁壁面の植栽基盤土が一体化され緑化が図られる。また、前記植栽容器は腐蝕しにくい樹脂製やアクリル製板で形成され、表面には蔦植物が伸長しやすい格子状の網が設置された植栽容器である。
【発明の効果】
【００１１】
植栽基盤土層をマット体で形成することにより、豪雨や霜柱等で基盤土が流失することもなく、長期に渡り基盤土の保持を可能とし、植栽容器に植栽された苗木等は、植栽容器に形成された雨水受水盤や貯水室により生育に必要な水分が確保され、やがて生育に伴い植栽室から基盤土層に植物根が伸張することにより、新たな水分確保と強風等による飛散や倒木といったことも防止され、植栽植物が長期に渡り生育可能となる擁壁面の緑化工法である。
【図面の簡単な説明】
【００１２】
【図１】溝付支柱の設置状況を示す説明図である。
【図２】溝付支柱間隔内に一層目の植栽マットを敷設した状態を示す説明図である。
【図３】二層目となる植栽マット体を敷設した状態を示す説明図である。
【図４】植栽容器を示す斜視図である。
【図５】植栽容器の後面部を示す説明図である。
【図６】植栽容器の内部を示す説明図である。
【図７】本発明の擁壁面緑化の一実施例図である。
【発明を実施するための形態】
【００１３】
以下、図面を参照して本発明の具体的な実施形態を詳述する。
【実施例】
【００１４】
図１は、擁壁面緑化において緑化の基盤となる植生基盤土層と植栽容器を固定する溝付支柱を示したものである。この溝付支柱は、巾４センチ×高さ３センチを標準とし、加工がしやすく腐食しにくい合成樹脂角材が使用されているが、これに限らず腐食しにくい物であればプラスチックや金属製等を用いても良い。溝付支柱１の底部面となる面部には、隣接する植生基盤土層に植物根の伸長と水分の流入を可能とする傾斜型流通溝２が数十センチ間隔で形成されており、植栽植物の長期生育を可能としている。
【００１５】
傾斜型流通溝が形成された溝付支柱１は、擁壁面に数十センチ間隔で配置し、当該溝付支柱を左右から挟み込み、擁壁面に固定する山型止金具４の固定位置に埋め込みアンカー３を設置し、溝付支柱を山型止金具４で挟み込み、全ネジボルト５を当該埋め込みアンカーにねじ込みワッシャー付ナット６を取付け締付固定し、擁壁面に溝付支柱を垂直に固定する。なお、全ネジボルトは溝付支柱を固定する他に溝付支柱間に配置される植栽マット体も固定するので、配置される植栽マット体の厚さより十数ミリ長い全ネジボルトを用いる。また、左右端部に形成された溝付支柱を固定する山型止金具の外側は、支柱のみの固定となるので全ネジボルトを使用せず、頭部に締付部を形成したボルトで締付固定する。
【００１６】
図２は、擁壁面に設置された複数の溝付支柱の間に支柱高と同じ３センチ厚の植栽マット体７を配置しつつ、図１で設置された全ネジボルト５に植栽マット体を押し当て突刺し貫通させワッシャーとナット６にて全ネジボルトに締付、擁壁面に植生基盤土となる植栽マット体を固着して下層基盤土層を形成する。なお、溝付支柱間に設置される植栽マット体はいずれも腐食しにくく植物の芽や根を通し、基盤土の流出がしにくい材質で形成されており、下部よりポリエチレン製ラッセルネット、ポリエチレン製平織ネット、ポリエステル製不織布の順に重ねて底部を形成し、当該ポリエステル製不織布の上に植生基盤土（ココピート、水苔、バーク堆肥、ピートモス、黒土の混合土に有機肥料、遅効性肥料を添加した人工土壌）を６ｃｍ厚で敷き詰め、圧縮して３ｃｍ厚の植栽基盤土に形成し、この上にポリエステル製不織布、ポリエチレン製平織ネットの順で重ね上部を形成し、底部と上部が一体化し植生基盤土のマット体内移動を抑え、構造体を堅持するように縦横所定間隔で縫製して腐食しにくい３ｃｍ厚の植栽マット体とする。
【００１７】
図３は、溝付支柱と下層基盤土層を形成した植栽マット体の表面部を２センチ厚の植栽マット体８で覆い、溝付支柱部１に任意間隔でワッシャーと固定ネジ９を用いて前記２センチ厚の植栽マットを固着して二層目の植生基盤土層を形成する。なお、二層目の植栽マット体は下層の植栽マット体とほぼ同じ資材であるが植物根が下層の植栽マット体に伸長可能とするために植生基盤土を包んでいるシート下部のポリエチレン製ラッセルネットを除いて形成された植栽マット体を二層目の植栽マット体とし、下層の植栽マット体と合わせて５センチ厚の植栽基盤土層が擁壁面に形成される。
【００１８】
図４は、図１〜図３で形成された溝付支柱と植栽基盤土層表面に固着される植栽容器の表面側を示したものである。この植栽容器１０は長さ９０センチ、巾１０センチ、高さ２０センチを標準とし、腐食しにくい合成樹脂板やアクリル板等で長方形の箱型や三角形型の箱型植栽容器に形成され、表面には蔦植物が絡み伸長しやすいように格子状網１１が形成されており、上部には雨水を取り入れる受水盤１２が設置されている植栽容器である。前記受水盤は、植栽容器の長さと同じ長さとし、巾が数センチ〜十数センチの長方形型盤で合成樹脂板、プラスチック板、金属製板の何れかの材質からなり、植栽容器に設置できるように受水盤には、数本の挿入杭１３（図５）が形成されている。当該受水盤の挿入杭を植栽容器内の前面に沿って刺し込むだけで容易に受水盤の設置ができ、雨水をより多く植栽容器や植栽基盤土層に取り入れることができるので自然水での長期緑化を可能としている。
【００１９】
図５は、図４の植栽容器を後面側から示したものである。後面側は後面の縁周り部分を３〜５センチ残して窓を形成し、この窓部分に格子状樹脂盤を不織布で覆った格子盤１４で塞ぎ、植栽マット体の植栽基盤土層側に植栽箱内から余剰水の給水や植物根の伸長を可能とする植栽容器１０とする。なお、窓部分に形成される格子盤の目合は植物根が伸長可能な１〜３センチとし、不織布は植栽土が流出せず植物根が伸長可能な空隙が多いポリエステル製不織布とし、これをもって格子状樹脂盤を覆う。
【００２０】
図６は、図４の植栽容器の内部を示すものである。植栽容器の内部は、底から３〜５センチの高さで貯水室が形成され、この貯水室に水の保持が可能な軽石１５を敷き並べ上部の軽石を覆うように水を通し基盤土を通さないポリエステル製不織布１６を敷設し、この上に植生基盤土が積層される。
【００２１】
図７は、図１〜図３で形成された植栽基盤土層に図４〜図６で形成した植栽容器を任意間隔で二層目の植栽マット体をサンドイッチ状に挟み込むように密着させ、溝付支柱部にネジ止固定し、当該植栽容器内に植生基盤土とともに宿根草１７や蔦１８等の植物を植栽して擁壁面の緑化を図る。植栽容器を植栽マット体に密着固着することにより植栽容器の背面部は植栽基盤土層に密着一体化し、植栽された植物が生育するとともに植物根が植栽容器から植栽基盤土層に伸長し、強風や振動で植栽物が倒伏することもなく長期緑化が望める。
【００２２】
上記の擁壁面への緑化工法は、植栽基盤土層を植栽マット体で形成することにより風雨等で植栽基盤土が流失することがなく、当該植栽基盤土層面に設置される植栽容器は、雨水を取り入れる受水盤、貯水槽が形成され、植栽基盤土層に余剰水を給水し、植物根の伸長が可能なように形成されており、植栽容器に植栽された植物は、急勾配なコンクリート等の擁壁面でも順調に生育し、擁壁面の早期緑化と長期緑化が可能な擁壁面の緑化工法である。
【産業上の利用可能性】
【００２３】
本工法は、擁壁面の早期緑化と長期緑化を可能とする緑化工法であり、周囲の自然環境調和と景観の保全を図り、ヒートアイランド現象の発生を防止できる自然環境の復元工法として今後利用される可能性の高い擁壁面の緑化工法である。
【符号の説明】
【００２４】
１    溝付支柱
２    傾斜型流通溝
３    埋め込みアンカー
４    山型止金具
５    全ネジボルト
６    ワシャー付ナット
７    ３センチ厚の植栽マット体
８    ２センチ厚の植栽マット体
９    ワッシャーと固定ネジ
１０    植栽容器
１１    格子状網
１２    受水盤
１３    挿入杭
１４    格子盤
１５    軽石
１６    不織布
１７    宿根草
１８    蔦
【図１】
2017025652.tif 000003
【図２】
2017025652.tif 000004
【図３】
2017025652.tif 000005
【図４】
2017025652.tif 000006
【図５】
2017025652.tif 000007
【図６】
2017025652.tif 000008
【図７】
2017025652.tif 000009